(57)【特許請求の範囲】
【請求項１】
筐体の内側面に固定された筺体連結部材と、扉の内面に固定された扉連結部材と、該扉連結部材と前記筐体連結部材を揺動可能に連結する持ち出しリンク機構とを備えてなるものであって、
持ち出しリンク機構は、筐体側に起点を有する主リンク及び補助リンクを含む複数のリンクを備え、これらリンク間及びこれらのリンクと前記扉連結部材及び前記筐体連結部材との間を軸により連結して、前記主リンクの先端側において、当該主リンクと扉連結部材との間を４点リンクで接続するとともに、補助リンクをその４点リンクに係り合わせ、主リンクの回転に伴い補助リンクにより４点リンクを変形させて扉連結部材を先端側に持ち出すようにしたものであり、
扉閉止時には持ち出しリンク機構を構成する各リンクを折り畳んで前記扉連結部材の内部に収納し、扉の略９０°開成時に少なくとも主リンク及び補助リンクはその何れかのリンクのうち最内側に位置するリンク縁部が筺体連結部材の内側面に沿った長手方向の延長線と略平行となる姿勢にまで展開された状態となり、扉が９０°を越えて回転するにつれて主リンク及び補助リンクの各先端部が前記筺体連結部材の内側に沿った長手方向の延長線よりも外方側になるように折曲回動し、これら全ての動作を軸回りのリンクの回転のみによって行い得るように構成しており、
さらに、持ち出しリンク機構が扉閉止時の状態から略１８０°開成位置に向かって作動するにあたり、リンクと軸との干渉を避ける凹所を対応するリンクに設けるとともに、リンクと扉の縁部との干渉を避ける凹所を対応するリンクに設けていることを特徴とする多節ヒンジ装置。
【請求項２】
扉の略９０°開成時に主リンク及び補助リンクは扉連結部材の内部から扉の縁部側にのみ突出して扉の内面側に突出しない状態となる請求項１記載の多節ヒンジ装置。
【請求項３】
扉が１８０°開成位置に近づくにつれ、主リンクと扉連結部材とを接続する４点リンクがほぼ潰れて、持ち出しリンク機構全体が主リンク或いは補助リンクの起点回りに回動可能となる請求項１または２に記載の多節ヒンジ装置。
【請求項４】
扉の略１８０°開成時に、主リンク及び補助リンクは先端側が前記筐体連結部材側に隣接させつつ扉の前面が略同一平面に揃うよう設けた別の筐体の前方に進入する位置にまで回転する請求項１〜３のいずれかに記載の多節ヒンジ装置。
【請求項５】
略１８０°開成時には、リンクは扉連結部材の内部から扉の縁部側より突出し扉の内面側には突出しないようにしている請求項１〜４のいずれかに記載の多節ヒンジ装置。
【発明の詳細な説明】
【技術分野】
【０００１】
本発明は、家具等における扉と筺体とを回動可能に連結するヒンジ装置に係り、特に、扉が略１８０°開成する場合のみならず略９０°開成する場合も含めて、扉の円滑な動作とともに筺体の収納スペース及びその間口を有効に確保できるようにした多節ヒンジ装置に関するものである。
【背景技術】
【０００２】
一般に、家具用として広く採用されているヒンジ装置は、筺体の内側面に固定する筺体連結部材と、扉の内側面に固定する扉連結部材と、該扉連結部材と前記筺体連結部材を揺動可能に連結するリンクとを備え、該リンクは扉の開き角度を大きくするために、通例、複数個を組み合わせた持ち出しリンク機構の構成からなる。
【０００３】
この場合、持ち出しリンク機構が閉扉時に筺体内部の収納スペースから退避して収納空間を極力侵さないようにし、かつ、開扉時には扉の一部が開口部の間口を狭くすることがなく、しかも、リンクが筺体内側に残らず最大限度又はそれに近く活用できるようにしたものとして、特許文献１に示す多節ヒンジ装置が知られている。
【０００４】
しかしながら、このものは、扉を９０°開成させた段階ではリンク機構が収納スペースの開口の前方に屈曲して大きく突出するため、間口が狭くなって家具本体への内容物の収納、あるいは取り出しを行うときの妨げになる。しがたって、壁に隣接させて収納家具を配置した場合等には、収納空間の十分な活用が困難となる。
【０００５】
一方、このような不都合が解消されたものとして、特許文献２、３等に示すものが提案されている。これらのものは、扉閉止時には起点を筐体側に有する主リンク及び補助リンクを含む複数のリンクを折り畳んで前記扉連結部材の内部に収納し、略９０°開成時には主リンク及び補助リンクを筺体連結部材の長手方向の延長線と略平行となる姿勢まで展開し、更にそこから先は主リンク及び補助リンクをその位置に保持して、これらの先端側に接続されたリンクと扉との間に構成された軸連結部及びスライドガイド部を利用して扉を略９０°回転させるようにしている。
【特許文献１】特許第２７４６８４７号公報
【特許文献２】特開２０００−１２０３１８号公報
【特許文献３】特許第３７０２８８４号公報
【発明の開示】
【発明が解決しようとする課題】
【０００６】
すなわち、上記特許文献２、３は何れのものも、２段ヒンジ構造を採用しており、軸回転による最初の略９０°の回転と、軸回転とスライドガイドとを組み合わせた次の略９０°の回転とによって、扉を１８０°にまで開成させ得るようにしている。
【０００７】
このため、操作感が２段階となって連続性が損なわれ、またスライド部分が存することで動作の円滑性が低下するほか、耐久性等の観点からも改良の余地が残されているものと言うことができる。軸のみによって２段ヒンジ構造を採用しているものにおいても、操作の連続性等が損なわれる点で同様の不具合がある。
【０００８】
本発明は、このような課題に着目してなされたものであって、扉の１８０°開成時、９０°開成時の何れの場合にも収納スペースをその間口とともに有効に活用することができ、かつ、扉を閉止位置から１８０°開成位置まで連続した操作性の下に円滑に作動させることができるようにした新規有用な多節ヒンジ装置を提供することを目的としている。
【課題を解決するための手段】
【０００９】
本発明は、かかる目的を達成するために、次のような手段を講じたものである。
【００１０】
すなわち、本発明の多節ヒンジ装置は、筐体の内側面に固定された筺体連結部材と、扉の内面に固定された扉連結部材と、該扉連結部材と前記筐体連結部材を揺動可能に連結する持ち出しリンク機構とを備えてなるものであって、持ち出しリンク機構は、筐体側に起点を有する主リンク及び補助リンクを含む複数のリンクを備え、これらリンク間及びこれらのリンクと前記扉連結部材及び前記筐体連結部材との間を軸により連結して、前記主リンクの先端側において、当該主リンクと扉連結部材との間を４点リンクで接続するとともに、補助リンクをその４点リンクに係り合わせ、主リンクの回転に伴い補助リンクにより４点リンクを変形させて扉連結部材を先端側に持ち出すようにしたものであり、扉閉止時には持ち出しリンク機構を構成する各リンクを折り畳んで前記扉連結部材の内部に収納し、扉の略９０°開成時に少なくとも主リンク及び補助リンクはその何れかのリンクのうち最内側に位置するリンク縁部が筺体連結部材の内側面に沿った長手方向の延長線と略平行となる姿勢にまで展開された状態となり、扉が９０°を越えて回転するにつれて主リンク及び補助リンクの各先端部が前記筺体連結部材の内側に沿った長手方向の延長線よりも外方側になるように折曲回動し、これら全ての動作を軸回りのリンクの回転のみによって行い得るように構成しており、さらに、持ち出しリンク機構が扉閉止時の状態から略１８０°開成位置に向かって作動するにあたり、リンクと軸との干渉を避ける凹所を対応するリンクに設けるとともに、リンクと扉の縁部との干渉を避ける凹所を対応するリンクに設けていることを特徴とする。
【００１１】
すなわち、従来では、主リンク及び補助リンクを９０°回転させた段階で扉が１８０°開成するように構成すると扉の９０°開成時に主リンクや補助リンクが収納スペースの間口を狭め、或いは、主リンク及び補助リンクを９０°回転させた段階で扉を９０°開成させるとともにそれ以後は主リンク及び補助リンクの先端側に構成した軸とスライド機構との組み合わせによって扉を更に９０°回転させるように構成すると円滑な作動が妨げられるものであった。これに対して、本発明は、主リンク及び補助リンク自体を９０°を越えて回転させるという全く新たな着眼に基づき、しかもその動作を全て軸回りの回転によって行うようにしたので、９０°開成時に間口を極力狭めないようにすることができ、９０°開成前後における動作の連続性も得られ、９０°開成以降にも全てを軸回りの回転動作で行うことによってスライド動作に比して円滑で耐久性のある構造を有効に実現することができる。
【００１２】
また、持ち出しリンク機構が扉閉止時の状態から略１８０°開成位置に向かって作動するにあたり、リンクと軸との干渉を避ける凹所や、リンクと扉の縁部との干渉を避ける凹所を、それぞれ対応するリンクに設けているため、持ち出しリンク機構を軸回りの回転を通じて広いレンジに亘って動作させる上で障害となる部分を簡潔に取り除くことが可能となっている。また、持ち出しリンク機構は、筐体側に起点を有する主リンクの先端側において、当該主リンクと扉連結部材との間を４点リンクで接続するとともに、補助リンクをその４点リンクに係り合わせ、主リンクの回転に伴い補助リンクにより４点リンクを変形させて扉連結部材を先端側に持ち出すようにしているため、持ち出し機能を効果的に実現することも可能となっている。
【００１３】
また、扉の略９０°開成時に少なくとも主リンク及び補助リンクはその何れかのリンクのうち最内側に位置するリンク縁部が筺体連結部材の内側面に沿った長手方向の延長線Ｅと略平行となる姿勢にまで展開されるようにしているため、収納家具を壁に隣接させた場合等にも収納スペースの間口を極力狭めないという効果を備える。
【００１４】
収納家具を壁に隣接させた場合等にも収納スペースの間口を極力狭めないという上記の効果をさらに実行あらしめるためには、扉の略９０°開成時に主リンク及び補助リンクは扉連結部材の内部から扉の縁部側にのみ突出して扉の内面側に突出しないようにしておくことが好ましい。
【００１５】
４点リンクの作動限界を超えて持ち出しリンク機能を機能させるためには、扉が１８０°開成位置に近づくにつれ、主リンクと扉連結部材とを接続する４点リンクがほぼ潰れて、持ち出しリンク機構全体が主リンク或いは補助リンクの起点回りに回動可能ようにしておくことが有効である。
【００１６】
扉の９０°開成時に収納スペースの間口を狭めない状態と、略１８０°開成位置近くで扉を隣接する扉側に極力移動させる状態とを有効に両立させるためには、扉の略１８０°開成時に、主リンク及び補助リンクは先端側が前記筐体連結部材側に隣接させつつ扉の前面が略同一平面に揃うよう設けた別の筐体の前方に進入する位置にまで回転するように構成しておくことが望ましい。
【００１７】
ヒンジ装置が略１８０°開成時における扉の外観を損ねないようにするためには、リンクは扉連結部材の内部から扉の縁部側より突出し扉の内面側には突出しないようにしていることが好ましい。
【発明の効果】
【００２３】
本発明の多節ヒンジ装置は、以上説明した構成であるから、扉の１８０°開成時、９０°開成時の何れの場合にも収納スペースをその間口とともに有効に活用することができ、かつ、扉を閉止位置から１８０°開成位置まで連続した操作性の下に円滑に作動させることができる。すなわち、収納家具を壁に隣接させた状態で扉を開いた場合や相隣接する収納家具の扉を同時に開いた場合などにも、収納スペースの開口を有効に確保することができ、１８０°開成時の収納スペースも適正に活用可能で、扉の開閉操作も軸回りのリンクの回転を利用したスムーズなものとなり、長期に亘って安定した動作を確保することが可能な、新規有用な多節ヒンジ装置を提供することが可能となる。
【発明を実施するための最良の形態】
【００２４】
以下、本発明の一実施例を、図面を参照して説明する。
【００２５】
この実施形態の多節ヒンジ装置は、図１〜３に示すように、収納家具の筺体１に固定する筺体連結部材たるアーム２０に持ち出しリンク機構Ｘの基端側を取り付けるとともに、持ち出しリンク機構Ｘの先端側に扉連結部材たるカップホルダ５２を取り付けて構成される。
【００２６】
アーム２０の一端部は、筐体１の側板１１の内面に設けた凹所内において周知の調節機構を介して長手方向に取付位置調節可能に固定され、このアーム２０の他端部は非断面コ字形として左右一対の張出部２０ａを形成し、該張出部２０ａには所定の間隔で前後する一対の軸穴２９，３０が穿設されている。
【００２７】
一方、この実施形態の持ち出しリンク機構Ｘは、第１リンクである補助リンク３１、第２リンクであるシーソーリンク３６、第３リンクである主リンク４２、及び第４リンクである先端リンク４８を備えている。以下にその具体的な組付構造を説明する。
【００２８】
前記アーム２０の軸穴２９には補助リンク３１の一端部に穿設した軸穴３２を内側に重ねて軸３３を挿通することにより、補助リンク３１がアーム２０に回動可能に連結されている。補助リンク３１は断面コ字形であって、内縁に切欠状の凹所３１ａを有している。
【００２９】
補助リンク３１の他端部に穿設した軸穴３５にはシーソーリンク３６の一端部に穿設した軸孔３７を外側に重ねて軸３８を挿通することにより、シーソーリンク３６が補助リンク３１に回動可能に連結されている。シーソーリンク３６は断面コ字形であって、略中央部に軸穴３９が穿設されている。そして、シーソーリンク３６の他端部に穿設した軸穴４０に、カップホルダ５２に穿設した軸穴５５を合致させて軸４１を挿通することにより、シーソーリンク３６はカップホルダ５２に回動可能に連結されている。
【００３０】
シーソーリンク３６の軸穴３９に第３リンクである主リンク４２の略中央部に穿設した軸穴４３を外側に重ねて軸４４を挿通することにより、主リンク４２がシーソーリンク３６と回動可能に連結されている。この主リンク４２の一端部に穿設した軸穴４５に前記アーム２０の軸穴３０を内側に重ねて軸４６を挿通することにより、主リンク４２はアーム２０に回動可能に連結されている。主リンク４２の中央部及び先端部における内縁側には切欠状の凹所４２ａ、４２ｂが形成され、シーソーリンク３６の中央部における内縁側には切欠状の凹所３６ａが形成されている。
【００３１】
主リンク４２の他端部に穿設した軸穴４７に先端リンク４８の一端部に穿設した軸穴４９を内側に重ねて軸５０を挿通することにより、先端リンク４８が主リンク４２に回動可能に連結されている。そして先端リンク４８の他端部に穿設した軸穴５１にカップホルダ５２に穿設した軸穴５６を合致させて軸５７を挿通することにより、先端リンク４８はカップホルダ５２に回動可能に連結されている。
【００３２】
カップホルダ５２は扉１６の内側面に穿たれた溝１８に埋め込まれる扉連結部材であり、前記各リンク３１、３６、４２、４８が折り畳まれた際にそのほぼ全てを収納できるものであって、一端部５２ａを開口し、他端部５２ｂを閉じた所定長さの断面コ字形部材の両側部に、扉１６の内側面と平行の取付部５３が形成されている。扉１６には、吊元側縁部１６ａの端面の一部から裏面に至る部位に開口１６ｘが形成されており、カップホルダ５２の内空はこの開口１６ｘに臨んでいる。取付部５３にはねじ挿通孔５４が穿設され、奥壁にはリブを利用して前述した軸穴５５，５６が所定の間隔で穿設されている。
【００３３】
かくして、補助リンク３１はアーム２０及びシーソーリンク３６と、シーソーリンク３６は補助リンク３１、主リンク４２及びカップホルダ５２と、主リンク４２はシーソーリンク３６，アーム２０及び先端リンク４８と、先端リンク４８は主リンク４２及びカップホルダ５２と、それぞれ連係している。
【００３４】
つまり、この持ち出しリンク機構Ｘは、筐体１側に起点である軸４６を有する主リンク４２の先端側において、当該主リンク４２と扉連結部材であるカップホルダ５２との間を図４に示すように軸４１，４４，５０，５７からなる４点リンクで接続するとともに、補助リンク３１をその４点リンクにシーソーリンク３６を介して係り合わせている。そして、主リンク４２の回転に伴い補助リンク３１が４点リンクを駆動し、最初は図３に示すようにカップホルダ５２内においてともに一方に倒れた状態にあるリンク３６、４８を図３→図４に示すようにカップホルダ５２内で一旦起こした後に、ともにカップホルダ５２内で他方に倒しながら更に図４→図５→図６→図７→図８のように変形させ、これによりカップホルダ５２を主リンク４２に対してその先端側に持ち出すようにしたものである。
【００３５】
そして、図３に示す扉閉止時には、持ち出しリンク機構Ｘを構成する各リンク３１、３６，４２，４８を折り畳んで前記カップホルダ５２の内部にほぼ収納し、図６に示す略９０°開成時には少なくとも主リンク４２及び補助リンク３１の最内側に位置するそれらのリンク縁部（立壁部分）４２ｚ、３１ｚがアーム２０の内側面に沿った長手方向の延長線Ｅと略平行となる姿勢にまで展開される。更に、扉１６が９０°を越えて図６→図７→図８と回転するにつれて、主リンク４２及び補助リンク３１の各先端部が前記アーム２０の長手方向の延長線Ｅよりも外方側になるように折曲回動する。そして、扉１６が１８０°開成位置に近づくにつれ（具体的には図７の手前の位置あたりから）、主リンク４２とカップホルダ５２とを接続する４点リンクのうち３点４１，４４，５０がほぼ直線状となるように潰れて、持ち出しリンク機構Ｘ全体は主リンク４２或いは補助リンク３１の起点である軸４６、３３回りに回動しながら、図７→図８のように扉１６が厚み方向に移動することとなる。
【００３６】
したがって、図８に示すように、扉１６を最大限度で開いたときは、補助リンク３１は主リンク４２とともにアーム２０の長手方向の延長線Ｅよりも外方側へ大きく折曲回動して、先端を隣接する筐体１、すなわちアーム２０側に隣接させつつ扉１６の前面が略同一平面に揃うよう設けた別の筐体１の前方に迫り出させ、扉１６は隣接する扉１６の前面に密接に対面させられる。扉１６の吊元側縁部１６ａの端面の一部から裏面に至る部位には切欠状の開口１６ｘが形成されており、持ち出しリンク機構Ｘはこの開口１６ｘを介して連結状態を維持している。この位置に至るまでに、補助リンク３１の一部に設けた凹所３１ａに主リンク４２の起点となる軸４６が入り込んで干渉を回避し、この位置で凹所３１ａは始めて軸４６に突き当たってストッパーとなる。また、この位置に至るまでに、図５→図６に示すように主リンク４２の一部に設けた凹所４２ｂにシーソーリンク３６の先端側の軸４１が入り込んで干渉を回避するようにしている。さらに、前記主リンク４２及びシーソーリンク３６には、扉１６の吊元側縁部１６ａの開口縁１６ｙとの干渉を避ける凹所３６ａ、４２ａが設けられており、図７→図８に示すように干渉することなく扉１６を略１８０°開成位置にまで移動させることができる。勿論、この位置では、持ち出しリンク機構Ｘ全体が側板１の内側面より隣接する筺体１側へはみ出して収納スペースの間口を狭くすることはない。
【００３７】
特に、図６に示す扉１６の略９０°開成時には、主リンク４２及び補助リンク３１はカップホルダ５２の内部から扉１６の吊元側縁部１６ａ側にのみ突出し、扉１６の内面１６ｂ側に突出しない状態となっている。このとき、扉１６の外面側は筐体１の側板１１間の境界線Ｐ上にあり、隣接する扉１６も同時に略９０°開成させることが可能となっている。
【００３８】
さらに、図８に示す扉１６の略１８０°開成時には、隣接する扉１６の反吊元側縁部との干渉を避ける凹所４２ｃを更に主リンク４２に設けている。
【００３９】
以上のように、この実施形態の多節ヒンジ装置は、筐体１の内側面に固定された筺体連結部材であるアーム２０と、扉１６の内面１６ｂに固定された扉連結部材であるカップホルダ５２と、これらカップホルダ５２とアーム２０とを揺動可能に連結する持ち出しリンク機構Ｘとを備え、持ち出しリンク機構Ｘは、筐体１側に起点を有する主リンク４２及び補助リンク３１を含む複数のリンク３１、３６、４２，４８を有し、これらリンク３１、３６、４２，４８間及びこれらのリンク３１、３６、４２，４８と前記カップホルダ５２及び前記カップホルダ５との間を軸３３，３８、４１，４４，４６、５０，５７により連結したものである。
【００４０】
そして、扉閉止時には図３に示すように持ち出しリンク機構Ｘを構成する各リンク３１、３６、４２，４８を折り畳んで前記カップホルダ５２の内部に収納し、図６に示す略９０°開成時には主リンク４２及び補助リンク３１のうち最内側に位置するリンク縁部４２ｚ、３１ｚがアーム２０の内側面に沿った長手方向の延長線Ｅと略平行となる姿勢にまで展開され、扉１６が９０°を越えて更に図７→図８に示す方向に回転するにつれて主リンク４２及び補助リンク３１の各先端部が前記アーム２０の内側に沿った長手方向の延長線Ｅよりも外方側になるように折曲回動し、これら全ての動作を軸３３，３８、４１，４４，４６、５０，５７回りのリンク３１、３６、４２，４８の回転のみによって行い得るように構成している。その動作は一意的な拘束連鎖となる。
【００４１】
このように、主リンク４２及び補助リンク３１を９０°を越せて回転させる構成としたことにより、扉１６の略９０°開成時には主リンク４２及び補助リンク３１はアーム２０よりも扉閉止側に殆ど出っ張ることがないため、収納家具を壁に隣接させて配置した場合や、隣接する収納家具の扉を同時に開いた場合等にも収納スペースの間口Ｓを狭めることがなく、収納スペース内に引出を収容しても不都合なく出し入れが可能になる。また、主リンク４２及び補助リンク３１自体を９０°を越えて回転させるようにしているため、軸３３，３８、４１，４４，４６、５０，５７回りの回転動作により扉１６を図８に示すように略１８０°開成させて収納スペースを間口Ｓを介して有効活用することができる。そして、前述した９０°開成前後における動作の連続性も確保されるので、円滑で耐久性に優れた構造を有効に実現することが可能となる。
【００４２】
このように主リンク４２及び補助リンク３１を含む持ち出しリンク機構Ｘを広いレンジで作動させると、リンク３１、３６、４２，４８の一部と軸３３，３８、４１，４４，４６、５０，５７の一部、或いはリンク３１、３６、４２，４８の一部と扉１６の吊元側縁部１６ａとの干渉が生じ易いものとなるが、本実施形態では、持ち出しリンク機構Ｘが扉閉止時の状態から略１８０°開成位置に向かって作動するにあたり、リンク３１、３６、４２，４８の一部と軸３３，３８、４１，４４，４６、５０，５７の一部との干渉を避ける凹所３１ａ、４２ｂ、及び、リンク３１、３６、４２，４８の一部と扉１６の吊元側縁部１６ａとの干渉を避ける凹所３６ａ、４２ａを、それぞれリンク３１、３６、４２，４８のうちの対応箇所に設けているので、持ち出しリンク機構Ｘを軸３３，３８、４１，４４，４６、５０，５７回りの回転のみで構成して広いレンジに亘って動作させるときに障害となる部分を簡潔に取り除くことができる。
【００４３】
具体的には、持ち出しリンク機構Ｘは、筐体１側に起点を有する主リンク４２の先端側において、当該主リンク４２とカップホルダ５２との間を４点リンクで接続するとともに、補助リンク３１をその４点リンクに係り合わせ、主リンク４２の回転に伴い補助リンク３１により４点リンクを変形させてカップホルダ５２を先端側に持ち出すようにしているので、所要の持ち出し動作を有効に実現することができる。
【００４４】
また、図６に示す扉１６の略９０°開成時に主リンク４２及び補助リンク３１がカップホルダ５２の内部から扉１６の吊元側縁部１６ａ側にのみ突出して扉１６の内面側に突出しない状態となるようにしているので、収納スペースの間口Ｓを狭めないという効果を実効あらしめることができる。
【００４５】
さらに、４点リンクの変形のみでは扉１６を広いレンジに亘って移動させるのに限界があるが、本実施形態では、扉１６が１８０°開成位置に近づくにつれ、主リンク４２とカップホルダ５２とを接続する４点リンクがほぼ潰れた以後は、持ち出しリンク機構Ｘ全体が図７→図８に示すように主リンク４２或いは補助リンク３１の起点回りに回動できるようにしているので、別途に２段目の蝶番構造等を採用せずとも、単一の持ち出しリンク機構Ｘによって扉１６を閉止位置から略１８０°開成位置まで有効に作動させることができる。
【００４６】
また、図８に示す扉１６の略１８０°開成時に、主リンク４２及び補助リンク３１は先端側がアーム２０側に隣接させつつ扉１６の前面が略同一平面に揃うよう設けた別の筐体１の前方に進入する位置にまで回転するようにしているので、扉１６の９０°開成時に収納スペースの間口Ｓを狭めない状態と、略１８０°開成位置近くで扉１６を隣接する扉１６側に極力移動させる状態とを好適に有効に実現することができる。
【００４７】
さらにまた、略１８０°開成時には、リンク３１、３６、４２，４８はカップホルダ５２の内部から扉１６の吊元側縁部１６ａ側より突出し扉１６の内面１６ｂ側には突出しないようにしているので、扉１６が反転して隣接する扉１６の前面に重合した際に、この多節ヒンジ装置が収納家具の外観を損ねることを極力回避することができる。
【００４８】
持ち出しリンク機構Ｘの具体的構造としては、第１リンク３１、第２リンク３６、第３リンク４２及び第４リンク４８を備え、第１リンクである補助リンク３１は一端部が前記アーム２０の内側に軸３３を介して回動可能に連結され、他端部が第２リンクであるシーソーリンク３６の一端部の内側に軸３８を介して回動可能に連結され、シーソーリンク３６は第３リンクである主リンク４２の内側に配置され、他端部がカップホルダ５２に軸４１を介して回動可能に連結され、前記主リンク４２はその一端部が前記アーム２０の端部に軸４６を介して回動可能に連結され、他端部が第４リンク４８の一端部に軸５０を介して回動可能に連結され、かつ、第４リンク４８は他端部が前記カップホルダ５２の内側に軸５７を介して回動可能に連結されたものであるため、このような具体的構造によって本発明の基本的機能を有効に実現することができる。
【００４９】
第２リンクであるシーソーリンク３６は、その中間部が第３リンクである主リンク４２に軸４４を介し回転可能に連結され、その一端部に接続された第１リンクである補助リンク３１によって駆動されてシーソー動作を行うものであるため、別途に４点リンクを駆動するためのリンクを当該４点リンクと補助リンク３１との間に持ち込む等といった必要がなく、部品点数を極力省略して持ち出しリンク機構Ｘを構成することができる。
【００５０】
このような具体的構成において、主リンク４２の起点となる軸４６を避ける凹所３１ａを補助リンク３１に設けるとともに、第２リンクであるシーソーリンク３６の先端側の軸４１を避ける凹所４２ｂを主リンク４２に設けているので、補助リンク３１の動作範囲を主リンク４２の起点の軸４６と被る位置まで大きくとることができるとともに、主リンク４２の動作範囲をシーソーリンク３６の先端側の軸４１と被る位置まで大きくとることができる。
【００５１】
また、図１に示すように、扉１６の吊元側縁部１６ａの端面の一部から裏面に至る部位に持ち出しリンク機構Ｘを突出させる開口１６ｘを形成するとともに、その開口縁１６ｙとの干渉を避ける凹所４２ａ、３６a（図８等参照）を主リンク４２及びシーソーリンク３６に設けているので、扉１６の前面から開口縁ｙまでの側壁部１６ｚを残すことで扉１６の強度や外観を損ねることをなく開口１６ｘを形成しつつ、主リンク４２及びシーソーリンク３６の凹所４２ａ、３６ａと協働して、その限られた開口１６ｘの範囲内で持ち出しリンク機構Ｘの動作しろを有効に確保することができる。
【００５２】
さらに、隣接する扉１６の縁部との干渉を避ける凹所４２ｃを更に主リンク４２に設けているので、主リンク４２を隣接する扉１６に極力近づく位置まで有効に動作させることが可能となる。
【００５３】
なお、各部の具体的な構成は、上述した実施形態のみに限定されるものではない。
【００５４】
例えば、図９〜図１２に示す持ち出しリンク機構Ｘは、上記実施形態に対して若干の設計変更が施されたもので、図９は図１に対応し、図１０は図３に対応し、図１１は図６に対応し、図１２は図８に対応しており、機能的に共通する部分には同一符号が付してある。その設計変更の趣旨は、扉を極力薄く形成し、それに伴いカップホルダが浅くなっている点、その関係から扉の略９０°開成時に主リンク及び補助リンクが扉の内面側からやや突出した状態となる点、各リンクの強度を高めるためにその形状や肉厚などに多少の嵩が許容してある点である。
【００５５】
ただし、この場合にも、主リンク４２及び補助リンク３１を９０°を越えて隣接する扉１６の前面側に大きく回転させるという技術的思想は共通するものであり、図１１に示す扉１６の略９０°開成時には主リンク４２及び補助リンク３１のうち最内側に位置する主リンク４２のリンク縁部（立壁部分）４２ｚが筺体連結部材２０の内側面に沿った長手方向の延長線Ｅと略平行となる姿勢にまで展開されるようにしているので、９０°開成時に各リンクが収納空間Ｓ側へ屈曲して大きく突出するということがなく、間口を極力狭めない構成を実効あらしめることができる。よって、収納家具を壁に隣接させて配置した場合や、隣接する収納家具の扉を同時に開いた場合等に、物品の出し入れの便を有効に確保することができる。そして、前述した９０°開成前後における動作の連続性も、一意的な拘束連鎖の下に軸回りの回転動作のみによって行われるので、円滑で耐久性に優れた構造を有効に実現することが可能となる。そして、図１２に示すように扉を略１８０°開成させれば、収納スペースを間口Ｓを最大限に有効活用することができる点で同様である。
【００５６】
その他の構成も、本発明の趣旨を逸脱しない範囲で種々変形が可能である。
【図面の簡単な説明】
【００５７】
【図１】本発明の一実施形態を扉及び筐体に取り付ける前の状態で示す斜視図。
【図２】図１の分解図。
【図３】同実施形態の扉閉止時における部分平断面図。
【図４】図３に対応した作用説明図。
【図５】図３に対応した作用説明図。
【図６】図３に対応して扉の略９０°開成時の状態を示す作用説明図。
【図７】図３に対応した作用説明図。
【図８】図３に対応して扉の略１８０°開成時の状態を示す作用説明図。
【図９】本発明の変形例を示す図１に対応した図。
【図１０】本発明の変形例を示す図３に対応した図。
【図１１】本発明の変形例を示す図６に対応した図。
【図１２】本発明の変形例を示す図８に対応した図。
【符号の説明】
【００５８】
１…筐体
２０…筐体連結部材（アーム）
１６…扉
５２…扉連結部材（カップホルダ）
Ｘ…持ち出しリンク機構
４２…主リンク、第３リンク
３１…補助リンク、第１リンク
３３，３８、４１，４４，４６、５０，５７…軸
３１ａ、３６ａ、４２ａ、４２ｂ…凹所
【図１】
0005294188.tif 000002
【図２】
0005294188.tif 000003
【図３】
0005294188.tif 000004
【図４】
0005294188.tif 000005
【図５】
0005294188.tif 000006
【図６】
0005294188.tif 000007
【図７】
0005294188.tif 000008
【図８】
0005294188.tif 000009
【図９】
0005294188.tif 000010
【図１０】
0005294188.tif 000011
【図１１】
0005294188.tif 000012
【図１２】
0005294188.tif 000013